(57)【要約】      （修正有）【課題】簡単な構成により広告宣伝スペースを広くできると共に、不使用時には筆記具本体を収納することができ、広告宣伝媒体としての配布及び形態に便利な筆記具を提供する。【解決手段】筆記用芯２を有する筆記具本体１に、情報を表示する表示体１０を設けてあり、前記表示体１０は、筆記具本体１を挟持するように設けた２枚の表示板１１と、これらの表示板１１に筆記具本体１を回動可能に軸支する軸支部材１３と、２枚の表示板１１の間に前記筆記具本体１の収納部を形成するように設けたスペーサと、からなる筆記具。【選択図】図１
0003153050.tif 000002
【実用新案登録請求の範囲】
【請求項１】
筆記用芯を有する筆記具本体に、情報を表示する表示体を設けた筆記具であって、
前記表示体は、前記筆記具本体を挟持するように設けた２枚の表示板と、これらの表示板に前記筆記具本体を回動可能に軸支する軸支部材と、前記２枚の表示板の間に前記筆記具本体の収納部を形成するように設けたスペーサと、からなる筆記具。
【請求項２】
前記筆記具本体が前記筆記用芯を保持するシート状の保持部材からなる請求項１に記載の筆記具。
【請求項３】
前記保持部材が段ボール形状又は中空構造のシートからなり、前記筆記用芯を中空部に挿入してある請求項２に記載の筆記具。
【請求項４】
前記筆記具本体の後端部に、前記筆記具本体の収納時に前記収納部から突出する回転操作片を設けた請求項１乃至３の何れか一項に記載の筆記具。
【請求項５】
前記筆記用芯がボールペンレフィルである請求項１乃至４の何れか一項に記載の筆記具。
【考案の詳細な説明】
【技術分野】
【０００１】
本考案は、広告や宣伝などの情報を表示する表示体を備えた筆記具に関する。
【背景技術】
【０００２】
従来、企業名やキャッチフレーズなどの簡単な広告宣伝文字を印刷したボールペンが、粗品として配布され、広告媒体に利用されている。
【０００３】
しかし、従来の広告媒体としてのボールペンは、本体側面に広告宣伝文字を印刷しているために、表示できる情報量に限界があった。
【０００４】
また、広告宣伝スペースを広くしたボールペンとしては、打ち抜いたシート材を折り畳んで偏平な軸部を形成したもの（特許文献１参照）や、外観を企業の専売物又はシンボルなどの形状に成形したもの（特許文献２参照）が知られている。
【先行技術文献】
【特許文献】
【０００５】
【特許文献１】特開２００２−４６３８５号公報
【特許文献２】特表２００３−５１３８２７号公報
【考案の概要】
【考案が解決しようとする課題】
【０００６】
特許文献１に記載のボールペンは、簡単な構成により広告宣伝スペースを広くできるが、常にペン先が露出しているために、携帯に不向きで、広告宣伝機能を充分に発揮できないという課題があった。
【０００７】
一方、特許文献２に記載のボールペンは、カム機構やエッジスライド機構などによってペン先の出し入れを行っているために、ペン先の出し入れ機構が複雑になり、広告宣伝媒体として配布する際にコストが嵩むという課題があった。
【０００８】
そこで、本考案は、簡単な構成により広告宣伝スペースを広くできると共に、不使用時には筆記具本体を収納することができ、広告宣伝媒体としての配布及び携帯に便利な筆記具を提供するものである。
【課題を解決するための手段】
【０００９】
本考案は、上記課題を解決するために、筆記用芯を有する筆記具本体に、情報を表示する表示体を設けた筆記具であって、前記表示体は、前記筆記具本体を挟持するように設けた２枚の表示板と、これらの表示板に前記筆記具本体を回動可能に軸支する軸支部材と、前記２枚の表示板の間に前記筆記具本体の収納部を形成するように設けたスペーサと、からなる筆記具を提供するものである。
【００１０】
また、本考案の筆記具は、前記筆記具本体が前記筆記用芯を保持するシート状の保持部材からなる。
【００１１】
また、本考案の筆記具は、前記保持部材が段ボール形状又は中空構造のシートからなり、前記筆記用芯を中空部に挿入してある。
【００１２】
また、本考案の筆記具は、前記筆記具本体の後端部に、前記筆記具本体の収納時に前記収納部から突出する回転操作片を設けてある。
【００１３】
また、本考案の筆記具は、前記筆記用芯がボールペンレフィルである。
【考案の効果】
【００１４】
本考案の筆記具は、筆記用芯を有する筆記具本体に、情報を表示する表示体を設けた筆記具であって、前記表示体は、前記筆記具本体を挟持するように設けた２枚の表示板と、これらの表示板に前記筆記具本体を回動可能に軸支する軸支部材と、前記２枚の表示板の間に前記筆記具本体の収納部を形成するように設けたスペーサと、からなる構成を有することにより、２枚の表示板に広告や宣伝などの情報を表示することができるから、簡単な構成により広告宣伝スペースを広くできると共に、筆記具として使用しないときには、筆記具本体を回動させるだけで簡単に収納部に収納することができるから、広告宣伝媒体として配布するときや携帯時に、不用意に周囲を汚すのを防止することができる効果がある。
【００１５】
また、本考案の筆記具は、前記筆記具本体が前記筆記用芯を保持するシート状の保持部材からなることにより、筆記具全体を薄くでき、配布や携帯をし易いという効果がある。
【００１６】
また、本考案の筆記具は、前記保持部材が段ボール形状又は中空構造のシートからなり、前記筆記用芯を中空部に挿入してあることにより、筆記具本体を軽量かつ安価に形成することができる効果がある。
【００１７】
また、本考案の筆記具は、前記筆記具本体の後端部に、前記筆記具本体の収納時に前記収納部から突出する回転操作片を設けたことにより、回転操作片を摘んで操作することによって、筆記具本体を収納部から簡単に引き出すことができる効果がある。
【００１８】
また、本考案の筆記具は、前記筆記用芯がボールペンレフィルであることにより、簡易かつ安価のボールペンに、広告宣伝機能を持たせることができる効果がある。
【図面の簡単な説明】
【００１９】
【図１】本考案筆記具の一実施例を示す正面図。
【図２】その一実施例を示す背面図。
【図３】その一実施例を示す断面図。
【図４】その一実施例を示す底面図。
【図５】その一実施例の収納状態を示す正面図。
【図６】その一実施例の収納状態を示す断面図。
【考案を実施するための形態】
【００２０】
本考案の実施の形態を図示する実施例に基づいて説明する。
本考案に係る筆記具は、筆記用芯２を有する筆記具本体１に、情報を表示する表示体１０を設けてあり、前記表示体１０は、前記筆記具本体１を挟持するように設けた２枚の表示板１１，１２と、これらの表示板１１，１２に前記筆記具本体１を回動可能に軸支する軸支部材１３と、前記２枚の表示板１１，１２の間に前記筆記具本体１の収納部１５を形成するように設けたスペーサ１４と、から構成してある。
【実施例１】
【００２１】
図１〜３に示すように、筆記具本体１は、筆記用芯２と、この筆記用芯２を保持するシート状の保持部材３とから構成してある。図示の実施例において、筆記用芯２はボールペンレフィルであるが、油性ボールペンや水性ボールペンの他、鉛筆芯を用いることも可能である。
【００２２】
図４に示すように、保持部材３は、対向する表面シート５，５の間に、一定の間隔でリブ６を形成したポリプロピレン製の中空構造シートを、リブ６に沿った長方形状に打ち抜いてある。図示の実施例において、保持部材３は、先端部と後端部を半円形状にカットしてあり、後端部は筆記具本体１を回転操作する回転操作片４を成し、先端部は筆記用芯２を保持している。
【００２３】
筆記用芯２は、表面シート５，５とリブ６，６に囲まれた中空部７に、インク収容部を挿入し、ペン先部が露出するように設けてある。また、筆記用芯２は、中空部７から脱落しないように、接着剤などで保持部材３に固定してある。
【００２４】
なお、保持部材３は、紙製の段ボールで形成することもでき、また、発泡樹脂などの合成樹脂で成形することも可能である。保持部材３は、筆記具全体を薄くして携帯性を向上できるから、シート状に形成してあることが好ましいが、円形断面や長円形断面など種々の形状を採用することが可能である。
【００２５】
図１〜３に示すように、表示体１０は、表示板１１，１２と、軸支部材１３と、スペーサ１４とから構成してある。
【００２６】
表示板１１，１２は、紙製又は合成樹脂製の板状体又はシート状体からなり、卵型形状をした招き猫の外形に沿って打ち抜いてある。表示板１１には招き猫の正面姿を描いてあり、表示板１２には招き猫の背面姿を描いてある。表示板１２には、文字情報部１６を設けてあり、招き猫に関する文字情報を掲載して広告宣伝をすることができる。
【００２７】
２枚の表示板１１，１２は、招き猫の姿を描いた面を外側にして相対向して配置してある。２枚の表示板１１，１２の間には、保持部材３と同じ厚さのポリプロピレン製の中空構造シートを招き猫の耳部形状に打ち抜いたスペーサ１４，１４を接着して設けてあり、筆記具本体１の収納部１５を形成している。
【００２８】
表示板１１，１２には、招き猫の下側に、保持部材３の幅より僅かに広い幅を有して突出した矩形状の台座部１７を形成してあり、台座部１７に軸支部材１３を設けている。図示の実施例において、軸支部材１３はリベットであり、表示板１１，１２の間に保持部材３を挟み、回動可能にリベット加工することにより、表示板１１，１２が筆記具本体１を挟持し、かつ、軸支部材１３にて軸支するように構成してある。
【００２９】
保持部材３には、軸支部材１３を挿通する回転孔８を設けてある。回転孔８は、筆記具本体１の収納時に回転操作片４が収納部１５の下端から突出し、かつ、筆記具本体１の出し入れ時にペン先部がスペーサ１４と干渉しない位置に設けている。
【００３０】
なお、表示体１０は、実施例の構成に限定されるものでなく、２枚の表示板１１，１２を、上部において連結して形成し、この連結部を保持部材３の厚さと同じか僅かに広い間隔で折り返してスペーサとし、筆記具本体１の収納部１５を形成することも可能である。
【００３１】
図５及び図６は、筆記具本体１を収納部１５に収納した状態を示している。このとき、筆記具本体１は、回転操作片４が表示体１０の下側から露出しているから、回転操作片４を摘んで筆記具本体１を回動させることによって、筆記具本体１を収納部１５から簡単に引き出して使用することができる。
【００３２】
また、筆記具本体１を使用しないときには、図１に示す状態において、保持部材３の露出している部分を摘んで筆記具本体１を回動させることによって、筆記具本体１を収納部１５に簡単に収納することができる。
【００３３】
なお、表示板１１，１２は、招き猫形状に限らず、企業の専売物又はシンボルなどの種々の形状に形成することができる。また、表示板１１，１２は、広い平面形状を有するから、広告宣伝のための文字情報の他、図形、写真等を多量かつ容易に印刷して表示することができる。
【００３４】
本考案に係る筆記具は、表示体１０が筆記具本体１の収納部１５を兼ねているから、宣伝広告を行う表示スペースを広くしても嵩張らず、広告宣伝機能を充分に発揮することができる。また、筆記具として使用しないときには、筆記具本体１を収納部１５に収納できるから、携帯にも便利であり、貰った人が捨てずに使用することが期待でき、広告宣伝機能を一定期間発揮することができる。
【符号の説明】
【００３５】
１  筆記具本体
２  筆記用芯
３  保持部材
４  回転操作片
５  表面シート
６  リブ
７  中空部
８  回転孔
１０  表示体
１１，１２  表示板
１３  軸支部材
１４  スペーサ
１５  収納部
１６  文字情報部
１７  台座部
【図１】
0003153050.tif 000003
【図２】
0003153050.tif 000004
【図３】
0003153050.tif 000005
【図４】
0003153050.tif 000006
【図５】
0003153050.tif 000007
【図６】
0003153050.tif 000008